(57)【特許請求の範囲】
【請求項１】
作業車両の周囲を監視して監視結果を表示装置に表示する周辺監視装置であって、
作業車両に装着され、作業車両周囲の画像データを得るための複数のカメラと、
前記複数のカメラによって得られた画像データにより作業車両周囲の俯瞰画像を前記表示装置に表示する俯瞰画像表示手段と、
作業車両に装着され、作業車両周囲の障害物を検知する複数の障害物検知センサと、
前記障害物検知センサによって１又は複数の障害物が検知されたとき、前記障害物が撮影されている１又は複数のカメラ画像を特定するカメラ画像特定手段と、
前記カメラ画像特定手段によって複数のカメラ画像が特定されたとき、走行状態によって設定された優先順位にしたがって、優先順位の高いカメラ画像を俯瞰画像と並べて前記表示装置に表示するカメラ画像表示手段と、
を備え、
前記作業車両は、車両幅方向の中央から左右いずれか一方側に偏って配置された運転室を有しており、
前記カメラ画像表示手段は、前記障害物検知センサが障害物を検知していないときは前記運転室が設けられた側と逆側前方のカメラ画像を俯瞰画像と並べて前記表示装置に表示する、
作業車両の周辺監視装置。
【請求項２】
前記俯瞰画像表示手段は、俯瞰画像において前記複数のカメラのそれぞれに対応する複数の領域を設定するとともに、それぞれの前記領域を枠によって区画して表示するものであり、
前記障害物検知センサによって障害物が検知されたとき、障害物が位置する領域を区画している前記枠を強調表示する枠強調表示手段をさらに備えている、
請求項１に記載の作業車両の周辺監視装置。
【請求項３】
前記障害物検知センサによって障害物が検知されたとき、走行状態及び障害物の位置に応じて異なる警報音を発する警報手段をさらに備えた、請求項１又は２に記載の作業車両の周辺監視装置。
【発明の詳細な説明】
【技術分野】
【０００１】
本発明は、周辺監視装置、特に、作業車両の周囲を監視して監視結果を表示装置に表示する周辺監視装置に関する。
【背景技術】
【０００２】
超大型の作業車両として、鉱山等で砕石を運搬するために用いられるダンプトラックが提供されている。この種のダンプトラックは、一般的なトラック等の車両に比較して著しく車幅が広く、また前後長が長いために、サイドミラー等によって周囲の状況をオペレータが把握することは困難である。このため、例えば特許文献１に示されるように、車両の周囲の状況を効率よく確認することができる周辺監視システムが設けられている。【０００３】
特許文献１のシステムは、障害物検知システムと、オペレータインターフェースと、インターフェースモジュールと、これらに互いに接続されたコントローラと、を備えている。このシステムでは、障害物が検知されると、表示装置に危険な障害物が表示され、オペレータに警告されるようになっている。【０００４】
また、特許文献２には、作業機の動作位置範囲内の障害物の危険度を提示する装置が示されている。ここでは、作業機械周囲に障害物が存在するか否かが検出され、障害物が存在した場合は、作業機械本体と障害物との位置関係が算出され、さらに作業機械の作業動作から障害物の接触危険度レベルが算出される。そして、危険度に応じた警報内容がモニタや音声出力装置に出力される。
【先行技術文献】
【特許文献】
【０００５】
【特許文献１】ＵＳ ２００９／０２５９４００Ａ１
【特許文献２】特開２０１０−１９８５１９号公報
【発明の概要】
【発明が解決しようとする課題】
【０００６】
特許文献１のシステムでは、１つのモニタに、車両周囲の複数の死角に対応する領域がそれぞれアイコンで模式的に表示され、さらに障害物を映し出している１つのカメラの画像が表示される。そして、その障害物の存在する位置を含む死角領域（アイコン）がフラッシュされるようになっている（特許文献１の図７及びそれに関連する明細書の記載を参照）。【０００７】
しかし、車両の周囲の障害物は１つに限られるものではなく、複数の障害物が存在する場合がある。特許文献１では、このような場合の処理についてはまったく触れられていない。【０００８】
また、特許文献２の装置では、複数の障害物が存在する場合は、全部の障害物がモニタに表示されるようになっている（特許文献２の図９及びそれに関連する明細書の記載を参照）。特許文献２に示されるように、油圧ショベルのような作業機械の場合は、作業範囲が全方位にわたるので、複数の障害物のすべてをモニタに表示する必要がある。【０００９】
しかし、ダンプトラックのような作業車両に特許文献２に示されたような構成を適用すると、障害物として認識する必要のない物までがモニタに表示されることになり、本来もっとも注意すべき障害物を把握しにくくなる。【００１０】
本発明の課題は、作業車両の周囲に複数の障害物が検知された場合に、もっとも注意すべき障害物をオペレータが容易に把握できるようにすることにある。
【課題を解決するための手段】
【００１１】
第１発明に係る作業車両の周辺監視装置は、作業車両の周囲を監視して監視結果を表示装置に表示する装置であって、複数のカメラと、俯瞰画像表示手段と、障害物検知センサと、カメラ画像特定手段と、カメラ画像表示手段と、を備えている。複数のカメラは、作業車両に装着され、作業車両周囲の画像データを得る。俯瞰画像表示手段は複数のカメラによって得られた画像データにより作業車両周囲の俯瞰画像を表示装置に表示する。複数の障害物検知センサは、作業車両に装着され、作業車両周囲の障害物を検知する。カメラ画像特定手段は、障害物検知センサによって１又は複数の障害物が検知されたとき、障害物が撮影されている１又は複数のカメラ画像を特定する。カメラ画像表示手段は、カメラ画像特定手段によって複数のカメラ画像が特定されたとき、走行状態によって設定された優先順位にしたがって、優先順位の高いカメラ画像を俯瞰画像と並べて表示装置に表示する。【００１２】
この装置では、複数のカメラによって車両周囲のカメラ画像データが得られる。そして、この複数のカメラ画像データに基づいて車両周囲の俯瞰画像が作成され、表示装置に表示される。一方、複数の障害物検知センサによって１又は複数の障害物が検知された場合は、障害物が撮影されているカメラ画像が特定される。このとき、複数のカメラ画像が特定されたときは、走行状態によって設定された優先順位にしたがって、優先順位の高いカメラ画像が俯瞰画像と並べて表示装置に表示される。【００１３】
ここでは、作業車両の周囲に複数の障害物が検知された場合、障害物が撮影されている複数のカメラ画像が存在することになる。このような場合は、走行状態に応じて予め設定された優先順位にしたがって、もっとも優先順位の高い１つのカメラ画像が俯瞰画像と並べて表示される。このため、オペレータはもっとも注意すべき障害物を容易に把握することができる。【００１４】
第２発明に係る作業車両の周辺監視装置は、第１発明において、作業車両は、車両幅方向の中央から左右いずれか一方側に偏って配置された運転室を有している。そして、カメラ画像表示手段は、障害物検知センサが障害物を検知していないときは運転室が設けられた側と逆側前方のカメラ画像を俯瞰画像と並べて表示装置に表示する。【００１５】
ここで、特に超大型のダンプトラック等の作業車両では、運転室は中央から左右いずれかに偏って配置される場合が多い。このような作業車両のオペレータは、運転室が設けられた側と逆側の状況を把握することが非常に困難である。【００１６】
そこで第２発明の周辺監視装置では、障害物の存在が検知されていないときは、運転室が配置された側と逆側の前方のカメラ画像を俯瞰画像と並べて表示するようにしている。【００１７】
ここでは、オペレータにとってもっとも状況を把握しにくい領域を、カメラ画像を通して容易に把握することができる。【００１８】
第３発明に係る作業車両の周辺監視装置は、第１又は第２発明の装置において、俯瞰画像表示手段は、俯瞰画像において複数のカメラのそれぞれに対応する複数の領域を設定するとともに、それぞれの領域を枠によって区画して表示するものである。そして、障害物検知センサによって障害物が検知されたとき、障害物が位置する領域を区画している枠を強調表示する枠強調表示手段をさらに備えている。【００１９】
この装置では、俯瞰画像が、複数のカメラに対応して設定された複数の領域を有しており、各領域は枠によって区画されている。そして、障害物が位置する領域を区画している枠が強調表示される。このため、障害物の位置を、より容易にかつ素早く確認することができる。【００２０】
第４発明に係る作業車両の周辺監視装置は、第１から第３発明のいずれかの装置において、障害物検知センサによって障害物が検知されたとき、走行状態及び障害物の位置に応じて異なる警報音を発する警報手段をさらに備えている。【００２１】
ここでは、障害物が検知されたとき、警報が発せられるので、容易にかつ素早く障害物の存在を確認することができる。また、走行状態及び障害物の位置によって異なる警報音が発生されるので、例えば障害物の危険度の大小に応じて異なる警報音を設定しておけば、オペレータは、警報音によって容易に危険度の大小を把握することができる。
【発明の効果】
【００２２】
以上のような本発明では、作業車両の周囲に複数の障害物が検知されたとき、もっとも注意すべき障害物を容易に把握することができる。
【図面の簡単な説明】
【００２３】
【図１】本発明の一実施形態による周辺監視装置を備えたダンプトラックの全体構成を示す図。
【図２】ダンプトラックが有する周辺監視装置の構成を示すブロック図。
【図３】６台のカメラの装着位置と撮影範囲とを示す図。
【図４】８台のレーダ装置の装着位置と検知範囲とを示す図。
【図５】俯瞰画像とカメラ画像が表示されたモニタの表示例を示す図。
【図６】俯瞰画像において、複数のカメラに対応して区画された領域を示す図。
【図７】表示制御処理のフローチャート。
【発明を実施するための形態】
【００２４】
以下、本発明の実施形態について、図面を参照しながら説明する。なお、以下の説明において、「前」「後」「左」「右」とは、運転席に着座したオペレータを基準とする用語であり、「車幅方向」は、「左右方向」と同義である。
【００２５】
［ダンプトラックの全体構成］
図１は、本発明の一実施形態による周辺監視装置を備えたダンプトラック１の全体構成を示す斜視図である。ダンプトラック１は、鉱山作業などに用いられる自走式の超大型作業車両である。
【００２６】
ダンプトラック１は主に、車体フレーム２と、運転室としてのキャブ３と、ベッセル４と、それぞれ２つの前輪５及び後輪６と、給電用のパンタグラフを設置するためのベース７と、を備える。また、このダンプトラック１は、車両の周囲を監視して、その結果をモニタに表示する周辺監視装置１０（図２参照）を備える。周辺監視装置１０の構成及び動作については後述する。
【００２７】
車体フレーム２は、図示しないディーゼルエンジンやトランスミッション等の動力機構やその他の補機類を支持している。また、車体フレーム２の前部左右に前輪５（図１では右前輪のみ図示）が支持され、後部左右に後輪６（図１では右後輪のみ図示）が支持されている。車体フレーム２は、地面に近い側にロアデッキ２Ａを有し、ロアデッキ２Ａの上方にアッパデッキ２Ｂを有している。ロアデッキ２Ａと地面との間には例えば可動式ラダー２Ｃが設けられ、ロアデッキ２Ａとアッパデッキ２Ｂとの間には斜めラダー２Ｄが設けられている。アッパデッキ２Ｂ上には、前部の左右、側部、及び後部の一部に柵状の手すりが固定されている。
【００２８】
キャブ３は、アッパデッキ２Ｂ上において、車幅方向の中央から左側に偏倚して配置されている。このキャブ３内には、運転席、シフトレバー、表示用コントローラ、モニタ、ハンドル、アクセルペダル、ブレーキペダル等が設けられている。後述するように、コントローラ、モニタ及びシフトレバーは周辺監視装置１０の一部を構成する。
【００２９】
ベッセル４は砕石等の重量物を積載するための容器である。ベッセル４の後側の底部には、左右に取り付ける回動ピン（図示せず）を介して、車体フレーム２の後端部に回動可能に連結されている。これにより、ベッセル４は、図示しない油圧シリンダ等のアクチュエータによって、前部が上方に回動して積載物を排出する起立姿勢と、図１に示すように前部がキャブの上部に位置する積載姿勢と、を取り得る。
【００３０】
［周辺監視装置１０の構成］
図２は、ダンプトラック１が備える周辺監視装置１０の構成を示すブロック図である。周辺監視装置１０は、６台のカメラ１１〜１６と、８台のレーダ装置２１〜２８と、車体情報検出部３０と、障害物情報収集部３２と、障害物処理部３３と、キャブ３内において運転席の前方に配置されるモニタ３４と、を有する。また、周辺監視装置１０は、カメラ１１〜１６からのカメラ画像データと障害物処理部３３からのデータによって、モニタ３４に表示すべき画像を生成する表示用コントローラ４０を有している。なお、各カメラ１１〜１６と表示用コントローラ４０との間には、それぞれカメラ画像を一旦記憶するフレームメモリ１１Ａ〜１６Ａが設けられている。さらに、キャブ３内に設けられたオペレータスイッチ４１が表示用コントローラ４０に接続されている。オペレータスイッチ４１は、起動用のスイッチ、複数のカメラ画像からモニタ３４に表示すべきカメラ画像を指定するためのスイッチ等を含む。
【００３１】
＜カメラ＞
６台のカメラ１１〜１６は、ダンプトラック１の外周に装着され、ダンプトラック１の周囲の画像を取得する。図３は、６台のカメラ１１〜１６の装着位置と撮影範囲とを示すダンプトラック１の平面図である。なお、撮影範囲については、実際のカメラ撮影範囲を俯瞰画像（図６参照）上の範囲に置き換えて示している。
【００３２】
第１カメラ１１は斜めラダー２Ｄの上端部に配置され、その第１撮影範囲１１Ｃは車両前方である。第２カメラ１２はアッパデッキ２Ｂの前側面右端部に配置され、その第２撮影範囲１２Ｃは車両右斜め前方である。第３カメラ１３は第２カメラ１２と左右対称位置、すなわちアッパデッキ２Ｂの前側面左端部に配置され、その第３撮影範囲１３Ｃは左斜め前方である。第４カメラ１４はアッパデッキ２Ｂの右側面前端部に配置され、その第４撮影範囲１４Ｃは右斜め後方である。第５カメラ１５は第４カメラと左右対称位置、すなわちアッパデッキ２Ｂの左側面前端部に配置され、その第５撮影範囲１５Ｃは左斜め後方である。第６カメラ１６は２つの後輪６を連結するアクスル軸上方で、ベッセル４の回動軸付近に配置され、その第６撮影範囲１６Ｃは後方である。
【００３３】
以上の６台のカメラ１１〜１６によれば、図３の中央の図に示すように、ダンプトラック１のほぼ全周囲の画像を取得することができる。６台のカメラ１１〜１６のそれぞれは、自装置が撮影した画像であるカメラ画像のデータを、フレームメモリ１１Ａ〜１６Ａを介して表示用コントローラ４０に送信する。
【００３４】
＜レーダ装置＞
８台のレーダ装置２１〜２８は、ダンプトラック１の外周に装着され、ダンプトラック１の周囲に存在する障害物の相対位置を検知する。図４は、８台のレーダ装置２１〜２８の装着位置と検知範囲とを示すダンプトラック１の平面図である。なお、検知範囲については、実際のレーダ装置の検知範囲を俯瞰画像（図６参照）上の範囲に置き換えて示している。
【００３５】
第１レーダ装置２１はロアデッキ２Ａ上に配置され、その第１検知範囲２１Ｒは車両前方から左斜め前方である。第２レーダ装置２２は第１レーダ装置２１の左側に配置され、その第２検知範囲２２Ｒは車両前方から右斜め前方である。第３レーダ装置２３はロアデッキ２Ａの右側面前端部に配置され、その第３検知範囲２３Ｒは右斜め前方から右側方である。第４レーダ装置２４は車両側方のロアデッキ２Ａとアッパデッキ２Ｂの中間に配置され、その第４検知範囲２４Ｒは右側方から後方である。第５レーダ装置２５は２つの後輪６を連結するアクスル軸付近に配置され、その第５検知範囲２５Ｒは右斜め後方から後方である。第６レーダ装置２６は第５レーダ装置２５の右側に配置され、その第６検知範囲２５Ｒは後方から左斜め後方である。第７レーダ装置２７は第４レーダ装置２４と左右対称位置に配置され、その第７検知範囲２７Ｒは後方から左側方である。第８レーダ装置２８は第３レーダ装置２３と左右対称位置に配置され、その第８検知範囲２８Ｒは左側方から左斜め前方である。
【００３６】
以上の８台のレーダ装置２１〜２８によれば、図４の中央の図に示すように、ダンプトラック１のほぼ全周囲に渡って、ダンプトラック１に対する障害物の相対位置を検知することができる。８台のレーダ装置２１〜２８は、検知した障害物のデータを、障害物情報収集部３２を介して障害物処理部３３に送信する。
【００３７】
＜車体情報検出部＞
車体情報検出部３０は、キャブ３内の運転席周辺に配置されたシフトレバーの操作位置と、車速センサによって得られる車速と、を検出する。そして、これらのデータを表示用コントローラ４０に送信する。
【００３８】
＜障害物情報収集部及び障害物処理部＞
障害物情報収集部３２は、各レーダ装置２１〜２８の受信情報を収集し、障害物処理部３３に出力する。障害物処理部３３は、予め設定されたパラメータの値としきい値とを比較して、障害物情報を表示用コントローラ４０に対して出力する。パラメータとしては、ダンプトラック１と対象物との相対速度、相対角度、相対距離、対象物からの信号強度（レーダ反射信号の強度）が設定されている。これらのパラメータのうち、相対速度、相対角度、及び相対距離が、予め設定されているしきい値以下であり、かつ信号強度がしきい値を越えていれば、対象物（障害物）からの信号に基づいて、対象物の位置座標を求める。さらに、この位置座標が障害物として警報を行うべき範囲内の座標であるか否かを判断する。位置座標が警報範囲内である場合は、これを障害物の検知情報として表示用コントローラ４０に出力する。
【００３９】
＜表示用コントローラ＞
表示用コントローラ４０は、俯瞰画像合成部４２と、カメラ画像切替部４３と、画像表示制御部４４と、モニタ画像生成部４５と、を有している。
【００４０】
俯瞰画像合成部４２は、６台のカメラ１１〜１６のそれぞれから複数のカメラ画像データを受信する。そして、俯瞰画像合成部４２は、複数のカメラ画像データを合成することによって、図５の左側に示すように、ダンプトラック１の周囲の俯瞰画像５０を生成する。具体的には、俯瞰画像合成部４２は、複数のカメラ画像データそれぞれを座標変換することによって、複数のカメラ画像を所定の投影面上に投影させた俯瞰画像５０を示す俯瞰画像データを生成する。図５では、１つのモニタ３４の左側に俯瞰画像が表示され、右側には１つのカメラ画像（ここでは、前方、すなわち第１カメラ１１で撮影されているリアルタイム画像）５２が表示されている。
【００４１】
なお、俯瞰画像５０上においては、各カメラ１１〜１６の撮影範囲１１Ｃ〜１６Ｃに対応する複数の領域が区画されて表示される。区画された領域を図６に示している。図６において、「前」、「右前」、「左前」、「右後」、「左後」、「後」が、それぞれ第１〜第６カメラ１１〜１６の撮影範囲１１Ｃ〜１６Ｃに対応している。
【００４２】
カメラ画像切替部４３は、俯瞰画像に並べて表示すべきカメラ画像を選択する。具体的には、カメラ画像切替部４３は、画像表示制御部４４によって制御され、複数のカメラ画像のうちの１つを、所定の選択肢にしたがって選択する。複数のカメラ画像のうちの１つを選択する処理については、後述する。
【００４３】
画像表示制御部４４は、オペレータスイッチ４１及び車体情報検出部３０からの情報を受けて、カメラ画像切替部４３及びモニタ画像生成部４５を制御する。また、この画像表示制御部４４は、障害物処理部３３からの情報を受けて、俯瞰画像５０において障害物が存在する領域を囲む枠５４（図５参照）が強調表示されるような制御を実行する。各領域を囲む枠は、通常は破線で表示されている。なお、各領域は、基本的には各カメラ１１〜１６の撮影範囲１１Ｃ〜１６Ｃに基づいて決定されるが、その大きさや形状については、適宜設定が可能である。
【００４４】
モニタ画像生成部４５は、俯瞰画像合成部４２によって得られた俯瞰画像データと、カメラ画像切替部４３によって選択された１つのカメラ画像とが、１つのモニタ３４に並べて表示されるようにモニタ画像を生成する。このモニタ画像生成部４５によって生成されたモニタ画像データはモニタ３４に出力される。
【００４５】
［画像表示制御］
図７のフローチャートにしたがって、モニタ３４に画像を表示する制御処理について説明する。なお、画像表示制御処理を実行するに際し、以下のデータが予め設定されて記憶部（図示せず）に格納されている。
【００４６】
＜予め設定されているデータ＞
車速：速度Ｖ１−−モニタ３４に画像を表示するか表示しないかを判定するためのしきい値。
【００４７】
障害物検出時の優先順位：複数のカメラが障害物を撮影している場合の、モニタ３４に表示すべきカメラの優先順位は下記表１の通りである。（  ）内の符号は各カメラ１１〜１６の撮影範囲を示している。また、「高」、「中」、「低」は、オペレータに対する警告音の種類を示している。「高」は音のオン／オフの周期がもっとも短く設定されており、オペレータに対して、より強い注意を喚起するための警告音である。「中」は音のオン／オフの周期が「高」よりも長く設定されている。「低」は音のオン／オフの周期がもっとも長く、警告の程度はもっとも弱い。
【００４８】
【表１】
0005587499.tif 000002
【００４９】
＜制御処理＞
まず、ステップＳ１では、外部からの各種のデータを取り込む。具体的には、以下のデータを取り込む。
【００５０】
・画像：各カメラ１１〜１６のカメラ画像データ
・車体情報：シフトレバーの操作位置及び車速
・オペレータＳＷ情報：オペレータスイッチ４１が操作された場合の操作情報
・障害物情報：各レーダ装置２１〜２８からの障害物の情報
次にステップＳ２では、車速がＶ１を越えているか否かを判断する。車速がＶ１を越えている場合は、ステップＳ３に移行する。ステップＳ３では、モニタ３４に各画像を表示せず、また警告音としての警報を発しないように設定する。これは、ある速度を越えて走行しているときは、オペレータを運転に集中させるためである。また、このステップＳ３によって、車速Ｖ１を越えて走行しているときには、対向車を障害物として認識したような場合でも、警告音は発せられない。
【００５１】
車速がＶ１以下の場合は、ステップＳ４〜ステップＳ６に移行する。ステップＳ４では、各カメラ画像データに基づいて俯瞰画像を生成する。また、ステップＳ５ではモニタ３４に表示すべきカメラ画像を選択する。このカメラ画像の選択処理は、ステップＳ６以降の処理に基づいて実行される。
【００５２】
ステップＳ６ではオペレータによって特定のカメラが選択されたか否かを判断する。オペレータによって特定のカメラが選択された場合は、ステップＳ６からステップＳ１０に移行する。ステップＳ１０ではオペレータによって指定されたカメラを選択し、ステップＳ１１に移行する。
【００５３】
一方、オペレータによってカメラが選択されていない場合は、ステップＳ６からステップＳ２０に移行する。ステップＳ２０ではシフトレバーの操作位置を判定する。シフトレバーの操作位置が「前進」でかつ速度が「０」を越えていれば、ステップＳ２１に移行し、右前方を撮影している第２カメラ１２を選択する。シフトレバーの操作位置が「後進」であればステップＳ２２に移行し、後方を撮影している第６カメラ１６を選択する。以上の走行状態以外であれば、ステップＳ２３に移行し、前方を撮影している第１カメラ１１を選択する。例えば、シフトレバーの操作位置が「前進」の位置であるが速度が「０」の場合は、前方を撮影している第１カメラ１１を選択する。これらの処理の後、ステップＳ１１に移行する。
【００５４】
ステップＳ１１では、障害物が検知されたか否かを判断する。障害物が検知されていない場合は、ステップＳ１１からステップＳ５に移行する。
【００５５】
障害物が検知された場合は、ステップＳ１１からステップＳ３０及びステップＳ３１に移行する。ステップＳ３０では、障害物が複数のレーダ装置によって検知されたか否かを判断する。障害物が１つのレーダ装置によって検知された場合は、ステップＳ３０からステップＳ３２に移行する。ステップＳ３２ではレーダ装置によって検知された障害物の位置データから、この障害物を撮影しているカメラを特定して選択し、ステップＳ５に移行する。
【００５６】
また、複数の障害物が複数のレーダ装置によって検知された場合は、ステップＳ３０からステップＳ３３に移行する。ステップＳ３３では、優先順位を決定する表１にしたがって、もっとも優先順位の高い１つのカメラを選択し、ステップＳ５に移行する。
【００５７】
以上から、ステップＳ５では、以下の手順にしたがって、モニタ３４に俯瞰画像と並べて表示すべきカメラ画像を選択することになる。
【００５８】
選択肢１：障害物が検知されておらず、オペレータがカメラを指定した場合は、オペレータが指定したカメラのカメラ画像。
【００５９】
選択肢２：障害物が検知されておらず、オペレータがカメラを指定していない場合は、シフトレバーの操作位置及び車速に応じて選択されたカメラのカメラ画像。
【００６０】
選択肢３：１つの障害物が検知された場合は、その障害物を撮影しているカメラのカメラ画像。
【００６１】
選択肢４：複数の障害物が複数のカメラの撮影範囲で検知された場合は、予め設定されている優先順位によるもっとも優先順位の高いカメラのカメラ画像。
【００６２】
以上のようにして、ステップＳ４で得られた俯瞰画像と、ステップＳ５で得られた選択されたカメラのカメラ画像とが、ステップＳ３５においてモニタ画像として生成される。また、ステップＳ３５では、図５に示す６つの区画のうちの、障害物が存在する領域を囲む枠が強調表示される。
【００６３】
また、ステップＳ３１では、走行状態及び障害物の検知された位置に応じて、警告音の種類が設定される。この警告音の種類は、表１に応じて設定される。例えば、前進中に前方に障害物が検知された場合は、オン／オフの周期が短く、オペレータにとって耳障りな警告音が設定される。そして、図７に示した表示制御とは別に、ステップＳ３１で設定された警告音が発せられる制御が実行される。
【００６４】
以上の制御処理によって、モニタ３４においては、以下のような表示がなされる。
【００６５】
（１）シフトレバーの位置に応じた表示（障害物なし）
シフトレバーが「停止」から「前進」に操作された場合で、車速が「０」の場合は、俯瞰画像と前方のカメラ画像とがモニタ３４に並べて表示される。
【００６６】
前進を始めると、モニタ３４のカメラ画像が前方のカメラ画像から右前方のカメラ画像に切り替えられる。すなわち、俯瞰画像と右前方のカメラ画像とがモニタ３４に並べて表示される。そして、さらに速度が上がり、速度Ｖ１を越えると、モニタ３４には俯瞰画像及びカメラ画像は表示されなくなる。
【００６７】
シフトレバーが「後進」に操作された場合は、俯瞰画像と後方のカメラ画像とがモニタ３４に表示される。
【００６８】
（２）障害物検出時の表示
１つの障害物を検知した場合は、俯瞰画像と障害物を撮影しているカメラの画像がモニタ３４に並べて表示される。このとき、俯瞰画像において、障害物を撮影しているカメラの撮影範囲に対応する領域の枠が赤い太枠で表示されるとともに点滅し、強調表示される。
【００６９】
また、複数の障害物を検知した場合は、モニタ３４の左側には俯瞰画像が表示される。一方、モニタ３４の右側には、複数の障害物のそれぞれを撮影しているカメラのうち、表１にしたがってもっとも優先順位の高いカメラの画像が表示される。このとき、俯瞰画像においては、複数の障害物のそれぞれを撮影している複数のカメラの撮影範囲に対応する複数の領域の枠が、赤い太枠で表示されるとともに点滅し、強調表示される。
【００７０】
図５に示す例では、「前」、「右前」、及び「左前」の３つの領域で障害物が検知されている。これらの障害物は、前方を撮影している第１カメラ１１と、右前方を撮影している第２カメラ１２と、左前方を撮影している第３カメラ１３とによって撮影されている。このため、俯瞰画像５０においては、３つの領域を囲むそれぞれの枠５４が強調表示されている。そして、モニタ３４の右側には、表１にしたがって、もっとも優先順位の高い「前方」のカメラ画像、すなわち第１カメラ１１のカメラ画像が表示される。
【００７１】
さらに、図５の例では、前方に障害物が検知されたので、表１にしたがって、オン／オフの周波数が短く、オペレータにとって耳障りな警報音が発せられる。これにより、オペレータは、障害物による危険度が大きいことを知ることができる。
【００７２】
［特徴］
（１）ダンプトラック１の周囲に障害物を検知した場合、俯瞰画像において障害物が存在する領域を囲む枠を強調表示し、障害物を撮影しているカメラ画像を俯瞰画像に並べてモニタ３４に表示するので、オペレータは障害物の存在を容易に把握することができる。
【００７３】
また、複数の障害物が検知された場合は、俯瞰画像において障害物が存在する領域の枠を強調表示するとともに、走行状態によって設定された優先順位にしたがって、優先順位の高いカメラ画像が俯瞰画像と並べて表示装置に表示される。したがって、オペレータはもっとも注意すべき障害物を容易に把握することができる。
【００７４】
（２）障害物が検知されていないときは、運転室が設けられた側と逆側前方のカメラ画像が俯瞰画像と並べてモニタ３４に表示されるので、オペレータにとってもっとも状況を把握しにくい領域を、カメラ画像を通して容易に把握することができる。
【００７５】
（３）障害物が検知されたとき、走行状態及び障害物の位置に応じて異なる警報音が発せられるので、オペレータは警報音によって容易に危険度の大小を把握することができる。
【００７６】
［他の実施形態］
本発明は以上のような実施形態に限定されるものではなく、本発明の範囲を逸脱することなく種々の変形又は修正が可能である。
【００７７】
（Ａ）複数の障害物が検知された場合、また走行状態に応じた場合のカメラの優先順位は前記実施形態に限定されるものではない。キャブの配置等に応じて適宜設定すればよい。
【００７８】
（Ｂ）前記実施形態では、１つのモニタに俯瞰画像とカメラ画像とを並べて表示するようにしたが、２つのモニタを並べて配置し、それぞれのモニタに俯瞰画像とカメラ画像を別々に表示するようにしてもよい。
【産業上の利用可能性】
【００７９】
本発明の周辺監視装置では、作業車両の周囲に複数の障害物が検知されたとき、もっとも注意すべき障害物を容易に把握することができる。
【符号の説明】
【００８０】
１  ダンプトラック
２  車体フレーム
３  キャブ
１０  周辺監視装置
１１〜１６  カメラ
２１〜２８  レーダ装置
３０  車体情報検出部
３２  障害物情報収集部
３３  障害物処理部
３４  モニタ
４０  表示用コントローラ
４２  俯瞰画像合成部
４３  カメラ画像切替部
４４  画像表示制御部
４５  モニタ画像生成部
【図１】
0005587499.tif 000003
【図２】
0005587499.tif 000004
【図３】
0005587499.tif 000005
【図４】
0005587499.tif 000006
【図５】
0005587499.tif 000007
【図６】
0005587499.tif 000008
【図７】
0005587499.tif 000009